(57)【特許請求の範囲】
【請求項１】
複数のキャビネットをそれぞれの側面で連結する構造において、前記側面は、キャビネットの背板の左右両端が前方側へ傾斜あるいは湾曲して繋がる繋がり部より前方の表側側面と、該繋がり部より後方の裏側側面で構成され、該表側側面及び裏側側面は、前記背板に対して垂直であり、且つ、それぞれ隣接するキャビネットの表側側面及び裏側側面に連結されていることを特徴とするキャビネットの連結構造。
【請求項２】
複数のキャビネットの底面または上面が補強材で連結されていることを特徴とする請求項１に記載のキャビネットの連結構造。
【発明の詳細な説明】
【技術分野】
【０００１】
本発明は、複数のキャビネットを連結する連結構造に関するものである。
【背景技術】
【０００２】
従来、特許文献１に開示されているように、鏡と照明部を有する本体部と、長箱状の収納部をダボで連結した構造が存在する。
【特許文献１】特開２００１−３２７３４３号公報
【発明の開示】
【発明が解決しようとする課題】
【０００３】
上記特許文献１の構造では、キャビネットの側面が薄肉状のものである場合には、ダボで連結することが困難となり、また、キャビネットの背板と側面とが繋がるコーナー部に曲面や傾斜面が存在すると、側面に連結箇所を多く確保することができないため、連結箇所が少なくなって連結強度が確保し難いという問題点があった。
【課題を解決するための手段】
【０００４】
本発明は上記従来の問題点に鑑み案出したものであって、複数のキャビネットを強固に連結することのできる連結構造を提供するものであり、その請求項１は、複数のキャビネットをそれぞれの側面で連結する構造において、前記側面は、キャビネットの背板の左右両端が前方側へ傾斜あるいは湾曲して繋がる繋がり部より前方の表側側面と、該繋がり部より後方の裏側側面で構成され、該表側側面及び裏側側面は、前記背板に対して垂直であり、且つ、それぞれ隣接するキャビネットの表側側面及び裏側側面に連結されていることである。
【０００５】
また、請求項２は、複数のキャビネットの底面または上面が補強材で連結されていることである。
【発明の効果】
【０００６】
本発明は、複数のキャビネットをそれぞれの側面で連結する構造において、前記側面は、キャビネットの背板の左右両端が前方側へ傾斜あるいは湾曲して繋がる繋がり部より前方の表側側面と、該繋がり部より後方の裏側側面で構成され、該表側側面及び裏側側面は、前記背板に対して垂直であり、且つ、それぞれ隣接するキャビネットの表側側面及び裏側側面に連結されていることにより、キャビネットの側面を構成する表側側面及び裏側側面を、それぞれ連結することができて、連結箇所を多く確保することができ、キャビネットを強固に連結することができるものとなる。
【０００７】
また、複数のキャビネットの底面または上面が補強材で連結されていることにより、補強材により、より強固に複数のキャビネットを連結することができるものとなる。
【実施例】
【０００８】
以下、本発明の実施例を図面に基づいて説明する。
図１は、３個のキャビネットを連結した状態の正面構成図であり、図２は側面構成図である。
本例では、第１キャビネット１Ａと、第２キャビネット１Ｂと、第３キャビネット１Ｃを横方向にそれぞれの側面で連結して、壁面に設置するものであり、各キャビネット１Ａ，１Ｂ，１Ｃは同一形状に形成され、裏側の背板２には、成形時に、前方側へ凹み状に裏側凹部２ａ，２ｃ，２ｄが上下に形成され、この裏側凹部２ａ，２ｃ間に、前方側が開放された第１収納凹部Ｓ１が形成されており、裏側凹部２ｃ，２ｄ間に、前方側が開放された第２収納凹部Ｓ２が形成されている。
また、上面５の背側には、上方へ一体状に突出して照明取付部６が形成されており、この照明取付部６には、蛍光灯等の照明ランプが取り付けられて、その前面は照明カバー１７で覆蓋されている。
【０００９】
なお、各キャビネットの底面４から上面５に亘り、その前面には開閉可能に鏡７が設けられてミラーキャビネットが構成されている。
なお、第３キャビネット１Ｃの底面４の下方には、スイッチボックス９が形成されており、このスイッチボックス９から横方向へ連続して、第１キャビネット１Ａ，第２キャビネット１Ｂの底面４の下方に補強材１０が配設されて、この補強材１０により複数のキャビネット１Ａ，１Ｂ，１Ｃが連結されている。
【００１０】
なお、各キャビネットは、図３の水平方向断面拡大図で示すように、その背板２の左右両端側が前方側へ傾斜した傾斜部２ｂ，２ｂとなっており、この傾斜部２ｂの前端が側面３に繋がり部３ｃで繋がり、側面３は、繋がり部３ｃから前方側へ突出する表側側面３ａと、繋がり部３ｃから裏側へ突出する裏側側面３ｂとで構成され、この表側側面３ａ及び裏側側面３ｂは、背板２に対して垂直に連続している。
なお、背板２の左右両端の傾斜部２ｂは、前方側へ湾曲して側面３に繋がるように構成しても良く、このような傾斜部２ｂは、背板２と側面３間のコーナー部を掃除し易いように、前方側へ傾斜状あるいは湾曲状に形成したものである。
【００１１】
本例では、例えば図３のように、第１キャビネット１Ａと第２キャビネット１Ｂをそれぞれ側面３を当接させて連結するに際し、第１キャビネット１Ａの表側側面３ａと第２キャビネット１Ｂの表側側面３ａをナット１４とボルト１５により連結し、更に第１キャビネット１Ａの裏側側面３ｂと第２キャビネット１Ｂの裏側側面３ｂをナット１４とボルト１５により連結するものである。
【００１２】
なお、表側側面３ａ，３ａの連結は、表側の収納部Ｓ１，Ｓ２から手を入れて容易に行うことができ、また、裏側側面３ｂ，３ｂの連結は、図２に示した裏側凹部２ａ，２ｃ，２ｄの位置で連結できるものである。即ち、裏側凹部２ａ，２ｃ，２ｄは裏側が開放されているため、容易に手を入れてナット１４に対しボルト１５を締め付けることができる。
【００１３】
なお、裏側側面３ｂ，３ｂの連結は、裏側凹部２ａ，２ｃ，２ｄ内の３箇所の裏側連結位置Ｐ２，Ｐ２，Ｐ２で行われ、また、表側側面３ａ，３ａの連結は、縦方向に間隔を置いた５箇所の表側連結位置Ｐ１，Ｐ１，Ｐ１で行われる。
このように、第１キャビネット１Ａと第２キャビネット１Ｂを連結するに際し、表側側面３ａ，３ａを縦方向に５箇所の位置でナット１４とボルト１５により連結し、更に裏側側面３ｂ，３ｂは、縦方向に３箇所の位置でナット１４にボルト１５を締め付けて連結するために、極めて強固な連結状態が得られるものである。
なお、表側側面３ａ，３ａを連結するナット１４とボルト１５には、それぞれ締め付け後にキャップ１６，１６が被せられて化粧処理が行われる。
【００１４】
なお、キャビネットを連結するに際し、ナット１４，ボルト１５を通すことのできる孔を現場で加工することができ、現場において、複数のキャビネット１Ａ，１Ｂ，１Ｃを連結して、現場に対応した横幅寸法のキャビネットを良好に構成することができ、図２に示すように、現場の床面に設置されて上面に洗面ボウル１３を有する洗面台の上方へ立ち上がるバックガード１３ａの上端に、防水パッキン１２を介在させて補強材１０，スイッチボックス９を当接状にして、キャビネット１Ａ，１Ｂ，１Ｃをその上方の壁面に設置できるものである。
【００１５】
なお、背の低い洗面台である場合には、キャビネット１Ａ，１Ｂ，１Ｃの高さ位置を確保するために、図４に示すように、バックガード１３ａｂとスイッチボックス９の裏側間に立ち上げて隙間調整板１８を設置し、隙間調整板１８によりバックガード１３ａとキャビネット間の隙間をすっきりとした状態に埋めることができるものである。
なお、図４において、図中１９は洗面台のバックガード１３ａに取り付けられた水栓である。
【００１６】
なお、本例では、ボルト１４とナット１５を用いて連結する構造としたが、ナット１４，ボルト１５に代えてビス等で連結するように構成しても良い。
なお、図１において、図中８は収納部Ｓ１の底部に配置されたトレーである。
このように、複数のキャビネットを現場で連結するに際し、現場で孔加工して、キャビネットの表側側面を連結し、更に裏側側面を連結することで、連結位置を多く確保することができて強固な連結構造とすることができ、裏側にベース等を設ける必要がなく、連結状態で良好に現場の壁面に設置することができるものであり、更に補強材１０を用いることで、より強固な連結状態が確保されるものである。
【００１７】
なお、補強材１０は底面４に限らず、上面５に設けて、上面５を補強材１０で連結するように構成しても良く、更には、上面５と底面４のそれぞれに補強材１０を設けて、より強固な連結構造とすることができる。
【図面の簡単な説明】
【００１８】
【図１】３個のキャビネットを連結した状態の正面構成図である。
【図２】図１の側面構成図である。
【図３】一対のキャビネットを連結した状態の水平面で切断した平面断面拡大構成図である。
【図４】隙間調整板を設けてキャビネットを設置した状態の要部側面拡大構成図である。
【符号の説明】
【００１９】
１Ａ  第１キャビネット
１Ｂ  第２キャビネット
１Ｃ  第３キャビネット
２  背板
２ａ，２ｃ，２ｄ  裏側凹部
２ｂ  傾斜部
３  側面
３ａ  表側側面
３ｂ  裏側側面
３ｃ  繋がり部
４  底面
５  上面
６  照明取付部
７  鏡
９  スイッチボックス
１０  補強材
１３  洗面ボウル
１４  ナット
１５  ボルト
１６  キャップ
１８  隙間調整板
Ｓ１  第１収納部
Ｓ２  第２収納部
Ｐ１  表側連結位置
Ｐ２  裏側連結位置
【図１】
0004672585.tif 000002
【図２】
0004672585.tif 000003
【図３】
0004672585.tif 000004
【図４】
0004672585.tif 000005